(57)【要約】【課題】ディスプレイを画面に対して垂直な方向に移動自在とする構成において、ディスプレイの移動ができないロック状態を、容易に解除する。【解決手段】ディスプレイ用取付装置２００は、ディスプレイ１００の画面１１０に対して垂直なＹ軸方向に、ディスプレイ１００を移動自在とする伸縮機構２１０と、ハンドル１０の回転をレバー１４に伝える棒状部材７０と、を備える。伸縮機構２１０は、伸縮機構２１０の状態を、ディスプレイ１００の移動ができないロック状態、および、ディスプレイ１００の移動ができるロック解除状態のいずれかに設定するための構成を有する。伸縮機構２１０の状態がロック状態である場合、リンク棒３０ａは、レバー１４からリンク棒３０ａに伝わる動きに基づいて、伸縮機構２１０の状態をロック解除状態にする。【選択図】図１
2015121636.tif 000002
【特許請求の範囲】
【請求項１】
ディスプレイを壁面に取り付けるためのディスプレイ用取付装置であって、
前記ディスプレイの画面に対して垂直な方向である特定方向に、該ディスプレイを移動自在とする伸縮機構と、
前記ディスプレイに取り付けられた、回転自在なハンドルと、
回転自在なレバーと、
前記ハンドルの回転を前記レバーに伝える棒状部材と、
前記ハンドルの回転に伴い回転する前記レバーの動きに伴って動くように構成されたリンク棒と、を備え、
前記伸縮機構は、該伸縮機構の状態を、前記ディスプレイの移動ができないロック状態、および、該ディスプレイの移動ができるロック解除状態のいずれかに設定するための構成を有し、
前記伸縮機構の状態が前記ロック状態である場合、前記リンク棒は、前記レバーから該リンク棒に伝わる動きに基づいて、該伸縮機構の状態を前記ロック解除状態にする
ディスプレイ用取付装置。
【請求項２】
前記伸縮機構は、
前記伸縮機構の状態を、前記ロック状態および前記ロック解除状態のいずれかに設定するためのロックプレートと、
前記伸縮機構の状態が前記ロック解除状態である場合、前記特定方向に移動自在なシャフトとを含み、
前記ロックプレートは、回転自在に構成され、
前記ロックプレートには、前記シャフトと係合するための切り欠きが形成され、
前記ロックプレートの端部は、該ロックプレートの回転に伴い前記切り欠きの位置が移動するように、前記リンク棒と当接しており、
前記ロックプレートは、前記伸縮機構の状態が前記ロック状態である場合、前記レバーから前記リンク棒に伝わる動きに基づいて、回転することにより、前記切り欠きと前記シャフトとの係合を解除する
請求項１に記載のディスプレイ用取付装置。
【請求項３】
前記レバーは、該レバーの回転に伴い、前記リンク棒の端部を押圧する
請求項１または２に記載のディスプレイ用取付装置。
【請求項４】
前記棒状部材は、伸縮自在に構成される
請求項１から３のいずれか１項に記載のディスプレイ用取付装置。
【請求項５】
前記ディスプレイ用取付装置は、前記リンク棒を、長さの異なる別のリンク棒と交換可能に構成される
請求項１から３のいずれか１項に記載のディスプレイ用取付装置。
【請求項６】
前記リンク棒は、伸縮自在に構成される
請求項１から３のいずれか１項に記載のディスプレイ用取付装置。
【発明の詳細な説明】
【技術分野】
【０００１】
本発明は、ディスプレイを壁面に取り付けるためのディスプレイ用取付装置に関する。
【背景技術】
【０００２】
従来、複数の背面投射型プロジェクターを行列状に配置することにより、大画面を構成する方式が主流であった。当該背面投射型プロジェクターは、スクリーン（画面）端部まで映像が表示可能である。
【０００３】
近年、液晶ディスプレイ等の薄型ディスプレイについても、行列状の配置に適した狭縁タイプのディスプレイが製品化されてきている。以下においては、複数の薄型ディスプレイが壁面に行列状に配置された構成を、行列配置構成ともいう。
【０００４】
行列配置構成では、複数のディスプレイの位置を調整する必要がある。特許文献１には、ディスプレイの横方向の位置調整を容易に行うための技術（以下、関連技術Ａともいう）が開示されている。
【０００５】
また、行列配置構成では、例えば、ディスプレイのメンテナンスを行う場合、壁面から当該ディスプレイを取り外す必要がある。すなわち、ディスプレイは着脱自在に構成されている必要がある。
【０００６】
特許文献２には、壁面に対し、ディスプレイの着脱が簡単に行うことが可能な技術（以下、関連技術Ｂともいう）が開示されている。
【先行技術文献】
【特許文献】
【０００７】
【特許文献１】特開２００３−０１５５４１号公報
【特許文献２】特開２００６−０５３２１２号公報
【発明の概要】
【発明が解決しようとする課題】
【０００８】
行列配置構成では、複数の薄型ディスプレイが使用されている。ここで、行列配置構成が、例えば、９台の薄型ディスプレイが、３行３列に配置された構成であるとする。また、２行２列目の薄型ディスプレイのみが、メンテナンスが必要になったとする。
【０００９】
この場合、従来では、１行目（最上段）の各薄型ディスプレイを順番に取り外す必要があり、手間がかかるという問題がある。以下においては、薄型ディスプレイを、単に、ディスプレイともいう。
【００１０】
そこで、ディスプレイを、壁面、すなわち、ディスプレイの画面に対して垂直な方向に移動自在とする（以下、構成Ｎともいう）が考えられる。以下においては、ディスプレイの画面に対して垂直な方向を、奥行き方向ともいう。
【００１１】
構成Ｎでは、ディスプレイを固定するために、当該ディスプレイが奥行き方向に移動できないロック状態とするためのロック機構を設ける必要がある。当該ロック機構は、ディスプレイの外観を損ねないように、一般的に、ディスプレイの背面に設けられる。
【００１２】
しかしながら、このような構成Ｎでは、ロック状態を解除するために、例えば、作業者が、ディスプレイの背面に移動する必要があり、解除に手間がかかるという問題がある。なお、関連技術Ａ，Ｂでは、上記の問題を解決するための技術が開示されていない。
【００１３】
本発明は、このような問題を解決するためになされたものであり、ディスプレイを画面に対して垂直な方向に移動自在とする構成において、ディスプレイの移動ができないロック状態を、容易に解除することが可能なディスプレイ用取付装置を提供することを目的とする。
【課題を解決するための手段】
【００１４】
上記目的を達成するために、本発明の一態様に係るディスプレイ用取付装置は、ディスプレイを壁面に取り付けるための装置である。前記ディスプレイ用取付装置は、前記ディスプレイの画面に対して垂直な方向である特定方向に、該ディスプレイを移動自在とする伸縮機構と、前記ディスプレイに取り付けられた、回転自在なハンドルと、回転自在なレバーと、前記ハンドルの回転を前記レバーに伝える棒状部材と、前記ハンドルの回転に伴い回転する前記レバーの動きに伴って動くように構成されたリンク棒と、を備え、前記伸縮機構は、該伸縮機構の状態を、前記ディスプレイの移動ができないロック状態、および、該ディスプレイの移動ができるロック解除状態のいずれかに設定するための構成を有し、前記伸縮機構の状態が前記ロック状態である場合、前記リンク棒は、前記レバーから該リンク棒に伝わる動きに基づいて、該伸縮機構の状態を前記ロック解除状態にする。
【発明の効果】
【００１５】
本発明によれば、ディスプレイ用取付装置は、前記ディスプレイの画面に対して垂直な方向である特定方向に、該ディスプレイを移動自在とする伸縮機構と、前記ハンドルの回転を前記レバーに伝える棒状部材と、を備える。
【００１６】
前記伸縮機構は、該伸縮機構の状態を、前記ディスプレイの移動ができないロック状態、および、該ディスプレイの移動ができるロック解除状態のいずれかに設定するための構成を有する。前記伸縮機構の状態が前記ロック状態である場合、前記リンク棒は、前記レバーから該リンク棒に伝わる動きに基づいて、該伸縮機構の状態を前記ロック解除状態にする。
【００１７】
これにより、ハンドルを回転させるという簡単な操作だけで、伸縮機構の状態を、ロック状態から前記ロック解除状態に遷移させることができる。したがって、ディスプレイを画面に対して垂直な方向に移動自在とする構成において、ディスプレイの移動ができないロック状態を、容易に解除することができる。
【図面の簡単な説明】
【００１８】
【図１】本発明の実施の形態１に係るディスプレイ用取付装置の構成を示す斜視図である。
【図２】本発明の実施の形態１に係るディスプレイ用取付装置の側面図である。
【図３】ハンドルの周辺の拡大図である。
【図４】伸縮機構が収縮した状態におけるディスプレイ用取付装置の斜視図である。
【図５】伸縮機構の状態が収縮状態である場合におけるディスプレイ用取付装置の側面図である。
【図６】ロックプレートの周辺の拡大図である。
【図７】ロックプレートの構成を説明するための分解斜視図である。
【図８】マルチディスプレイシステムの構成の一例を示す図である。
【図９】縦向きに設置されたディスプレイにディスプレイ用取付装置を取り付けた状態を示す斜視図である。
【図１０】小さいサイズのディスプレイにディスプレイ用取付装置を取り付けた状態を示す斜視図である。
【発明を実施するための形態】
【００１９】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００２０】
なお、実施の形態において例示される各構成要素の寸法、材質、形状、それらの相対配置などは、本発明が適用される装置の構成や各種条件により適宜変更されるものであり、本発明はそれらの例示に限定されるものではない。また、各図における各構成要素の寸法は、実際の寸法と異なる場合がある。
【００２１】
＜実施の形態１＞
図１は、本発明の実施の形態１に係るディスプレイ用取付装置２００の構成を示す斜視図である。ディスプレイ用取付装置２００は、ディスプレイ１００を壁面に取り付けるための装置である。なお、図１では、ディスプレイ用取付装置２００が、ディスプレイ１００に取り付けられた状態を示す。
【００２２】
図１において、Ｘ，Ｙ，Ｚ方向の各々は、互いに直交する。以下の図に示されるＸ，Ｙ，Ｚ方向の各々も、互いに直交する。以下においては、Ｘ方向と、当該Ｘ方向の反対の方向（−Ｘ方向）とを含む方向をＸ軸方向ともいう。また、以下においては、Ｙ方向と、当該Ｙ方向の反対の方向（−Ｙ方向）とを含む方向をＹ軸方向ともいう。また、以下においては、Ｚ方向と、当該Ｚ方向の反対の方向（−Ｚ方向）とを含む方向をＺ軸方向ともいう。
【００２３】
また、以下においては、Ｘ軸方向およびＹ軸方向を含む平面を、ＸＹ面ともいう。また、以下においては、Ｘ軸方向およびＺ軸方向を含む平面を、ＸＺ面ともいう。また、以下においては、Ｙ軸方向およびＺ軸方向を含む平面を、ＹＺ面ともいう。
【００２４】
図２は、本発明の実施の形態１に係るディスプレイ用取付装置２００の側面図である。なお、図１および図２では、ディスプレイ用取付装置２００に含まれないディスプレイ１００も示される。ディスプレイ１００は、薄型ディスプレイである。ディスプレイ１００は、例えば、液晶ディスプレイである。ディスプレイ１００は、映像を表示するための画面１１０を含む。画面１１０は、ＸＺ面に平行である。
【００２５】
以下においては、ディスプレイ１００のうち画面１１０が形成されている面を、ディスプレイ前面という。また、以下においては、ディスプレイ１００のうち、ディスプレイ前面と反対側の面を、ディスプレイ背面という。
【００２６】
図１および図２を参照して、ディスプレイ用取付装置２００は、ハンドルユニット２２０と、ブラケット２４ａ，２４ｂと、フロントバー２３ａ，２３ｂと、伸縮機構２１０と、リンク棒３０ａと、を備える。
【００２７】
ハンドルユニット２２０は、ハンドル１０，１１と、ホルダー１６と、棒状部材７０と、軸受け部１５と、レバー１４とを含む。
【００２８】
図１を参照して、棒状部材７０は、Ｘ軸方向に伸縮自在に構成される。棒状部材７０は、パイプ１２と、シャフト１３と、ねじ５２とから構成される。パイプ１２の形状は、筒状である。パイプ１２は、Ｘ軸方向に延在する穴（図示せず）が設けられる。シャフト１３は、当該シャフト１３がＸ軸方向に移動自在なように、パイプ１２の穴（図示せず）に挿入される。ねじ５２は、パイプ１２に設けられる。シャフト１３は、ねじ５２に押圧されることにより、Ｘ軸方向に移動できないようになる。
【００２９】
図３は、ハンドル１０の周辺の拡大図である。ハンドル１０は、ディスプレイ１００に取り付けられる。また、ハンドル１０は、回転自在に構成される。具体的には、ハンドル１０は、ホルダー１６により、ディスプレイ１００の上側の角部に取り付けられる。ハンドル１０は、パイプ１２を回転軸として、方向ＤＲ１へ、回転自在に構成される。より具体的には、ハンドル１０は、当該ハンドル１０の回転に伴い、パイプ１２（棒状部材７０）も回転するように、パイプ１２に接続される。
【００３０】
ハンドル１０の端部には、爪１０ａが設けられる。爪１０ａは、ディスプレイ１００の前面に当接可能なように、Ｘ方向に突出するように構成される。
【００３１】
なお、図１のように、ディスプレイ１００の下側の角部には、ホルダー１７により、ハンドル１１が取り付けられる。ハンドル１１には、ハンドル１０と同様に、爪（図示せず）が形成される。ハンドル１１は、ハンドル１０と同様、回転自在に構成される。ハンドル１１の爪は、ハンドル１０の爪１０ａと同様に、ディスプレイ１００の前面に当接可能なように構成される。
【００３２】
再び、図１および図２を参照して、軸受け部１５は、ディスプレイ背面の上側の中央部に、ねじ（図示せず）により固定される。軸受け部１５は、シャフト１３が回転自在なように、棒状部材７０（シャフト１３）の端部を支持する。
【００３３】
レバー１４は、回転自在に構成される。具体的には、シャフト１３の端部には、当該シャフト１３の回転に伴いレバー１４が回転するように、レバー１４が固定されている。すなわち、シャフト１３を含む棒状部材７０は、ハンドル１０の回転をレバー１４に伝えるように構成される。
【００３４】
ブラケット２４ａ，２４ｂは、ねじにより、ディスプレイ背面に固定される。ブラケット２４ａ，２４ｂの各々は、Ｚ軸方向に延在する。ブラケット２４ａ，２４ｂの各々は、互いに平行に設けられる。
【００３５】
ブラケット２４ａは、Ｌ字状部材２４ａ１と、長尺部材２４ａ２と、Ｌ字状部材２４ａ３とから構成される。
【００３６】
長尺部材２４ａ２は、Ｚ軸方向に延在する。Ｌ字状部材２４ａ１，２４ａ３の形状は、略Ｌ字状である。Ｌ字状部材２４ａ１は、長尺部材２４ａ２の上部に設けられる。Ｌ字状部材２４ａ１には、Ｙ軸方向に延在するボルト５１ａが設けられる。Ｌ字状部材２４ａ３は、長尺部材２４ａ２の下部に設けられる。Ｌ字状部材２４ａ３には、Ｚ軸方向に延在するボルト５０ａが設けられる。
【００３７】
なお、ブラケット２４ｂは、ブラケット２４ａと同様な構成であるので詳細な説明は繰り返さない。以下、簡単に説明する。ブラケット２４ｂは、図４のように、Ｌ字状部材２４ｂ１と、長尺部材２４ｂ２と、Ｌ字状部材２４ｂ３とから構成される。Ｌ字状部材２４ｂ１、長尺部材２４ｂ２およびＬ字状部材２４ｂ３は、それぞれ、Ｌ字状部材２４ａ１、長尺部材２４ａ２およびＬ字状部材２４ａ３と同様な構成を有する。
【００３８】
Ｌ字状部材２４ｂ１には、Ｙ軸方向に延在するボルト５１ｂが設けられる。Ｌ字状部材２４ｂ３には、Ｚ軸方向に延在するボルト５０ｂが設けられる。
【００３９】
フロントバー２３ａ，２３ｂの各々は、Ｘ軸方向に延在する。ＹＺ面における、フロントバー２３ａ，２３ｂの各々の形状はコの字状である。フロントバー２３ａ，２３ｂの各々は、詳細は後述するが、ねじにより、伸縮機構２１０に固定される。フロントバー２３ｂには、Ｙ軸方向に延在するボルト５１ｃ，５１ｄが設けられる。図４のように、ボルト５１ｃは、フロントバー２３ｂのうちブラケット２４ａ側の端部に設けられる。ボルト５１ｄは、フロントバー２３ｂのうちブラケット２４ｂ側の端部に設けられる。
【００４０】
ボルト５１ｃの先端は、図２のように、長尺部材２４ａ２の下部に当接している。ボルト５１ｄの先端は、長尺部材２４ｂ２の下部に当接している。
【００４１】
伸縮機構２１０は、ディスプレイ１００の画面１１０に対して垂直な方向であるＹ軸方向に、伸縮自在なように構成される。伸縮機構２１０は、フロントブラケット２２を含む。
【００４２】
フロントブラケット２２の上部には、ねじにより、フロントバー２３ａが固定されている。フロントブラケット２２の下部には、ねじにより、フロントバー２３ｂが固定されている。
【００４３】
ディスプレイ１００は、ブラケット２４ａ，２４ｂを介して、着脱自在な構成により、伸縮機構２１０に取り付けられている。具体的には、ディスプレイ背面に固定されるブラケット２４ａのＬ字状部材２４ａ３のボルト５０ａの先端は、図２のように、伸縮機構２１０（フロントブラケット２２）に固定されるフロントバー２３ｂの上面に当接する。ディスプレイ背面に固定されるブラケット２４ｂのＬ字状部材２４ｂ３のボルト５０ｂの先端は、伸縮機構２１０（フロントブラケット２２）に固定されるフロントバー２３ｂの上面に当接する。
【００４４】
また、Ｌ字状部材２４ａ１のＹ軸方向に延在するボルト５１ａの先端は、図２のように、フロントバー２３ａのうちＸＺ面と平行な面に当接する。Ｌ字状部材２４ｂ１のＹ軸方向に延在するボルト５１ｂの先端は、ボルト５１ａと同様に、フロントバー２３ａのうちＸＺ面と平行な面に当接する。
【００４５】
以上のように、ボルト５０ａ，５０ｂ，５１ａ，５１ｂ，５１ｃ，５１ｄが構成されることにより、ディスプレイ１００は、ブラケット２４ａ，２４ｂを介して、フロントバー２３ａ，２３ｂの各々のＸ軸方向の左側端部および右側端部に引っ掛けられている。
【００４６】
言い換えれば、ディスプレイ１００に固定されているブラケット２４ａ，２４ｂは、伸縮機構２１０に対し、着脱自在に構成されている。すなわち、ディスプレイ１００は、伸縮機構２１０に対し、着脱自在に構成されている。
【００４７】
伸縮機構２１０は、さらに、ベースブラケット２０と、Ｘパンダー２１ｘと、シャフト２１ａ，２１ｂ，２１ｃ，２１ｄ，２１ｅとを含む。
【００４８】
シャフト２１ａ，２１ｂ，２１ｃ，２１ｄ，２１ｅの各々の形状は、棒状である。シャフト２１ａ，２１ｂ，２１ｃ，２１ｄ，２１ｅの各々は、Ｘ軸方向に延在する。
【００４９】
ベースブラケット２０は、壁面９０に固定される。具体的には、ベースブラケット２０のうちＸＺ面と平行な面には、図１のように、４つの貫通穴Ｈ１が設けられている。ベースブラケット２０は、４つの貫通穴Ｈ１の各々を利用して、ボルト（図示せず）等により、壁面９０に固定される。
【００５０】
また、ベースブラケット２０の上部のうち、左側面および右側面の穴（図示せず）には、図２のように、シャフト２１ｂが回転自在に設けられる。また、ベースブラケット２０の下部のうち左側面および右側面には、図２のように、Ｚ軸方向に延在する穴Ｈ２ｄが設けられる。シャフト２１ｄは、当該シャフト２１ｄが回転自在であり、かつ、当該シャフト２１ｄがＺ軸方向に移動自在なように、穴Ｈ２ｄに挿入される。
【００５１】
また、フロントブラケット２２の上部のうち、左側面および右側面の穴（図示せず）には、図２のように、シャフト２１ａが回転自在に設けられる。また、フロントブラケット２２の側面の下部のうち左側面および右側面には、図２のように、Ｚ軸方向に延在する穴Ｈ２ｃが設けられる。シャフト２１ｃは、当該シャフト２１ｃが回転自在であり、かつ、当該シャフト２１ｃがＺ軸方向に移動自在なように、穴Ｈ２ｃに挿入される。
【００５２】
Ｘパンダー２１ｘは、伸縮機構２１０のうちＸ軸方向の左側端部および右側端部に設けられる。なお、図２では、伸縮機構２１０のうちＸ軸方向の左側端部に設けられているＸパンダー２１ｘを示す。Ｘパンダー２１ｘは、長尺状部材２１ｘａ，２１ｘｂにより構成される。長尺状部材２１ｘａ，２１ｘｂは、シャフト２１ｅにより、連結される。これにより、長尺状部材２１ｘａ，２１ｘｂの各々は、シャフト２１ｅを回転軸として、回転自在に構成される。
【００５３】
長尺状部材２１ｘａの一方の端部は、シャフト２１ｂにより、ベースブラケット２０に取り付けられる。長尺状部材２１ｘａの他方の端部は、シャフト２１ｃにより、フロントブラケット２２に取り付けられる。長尺状部材２１ｘｂの一方の端部は、シャフト２１ｄにより、ベースブラケット２０に取り付けられる。長尺状部材２１ｘｂの他方の端部は、シャフト２１ａにより、フロントブラケット２２に取り付けられる。
【００５４】
以上のように、Ｘパンダー２１ｘが設けられることにより、伸縮機構２１０は、Ｙ軸方向に伸縮自在なように構成される。なお、図１および図２は、伸縮機構２１０が伸張した状態におけるディスプレイ用取付装置２００の状態を示す。
【００５５】
この構成により、伸縮機構２１０は、ディスプレイ１００の画面１１０に対して垂直な方向（Ｙ軸方向）に、当該伸縮機構２１０に取り付けられたディスプレイ１００を移動自在とする。以下においては、伸縮機構２１０が伸張した状態を、伸張状態ともいう。
【００５６】
図４は、伸縮機構２１０が収縮した状態におけるディスプレイ用取付装置２００の斜視図である。以下においては、伸縮機構２１０が収縮した状態を、収縮状態ともいう。図５は、伸縮機構２１０の状態が収縮状態である場合におけるディスプレイ用取付装置２００の側面図である。なお、図４および図５では、ディスプレイ用取付装置２００に含まれないディスプレイ１００も示される。また、図５では、伸縮機構２１０の構成を見やすくするために、Ｌ字状部材２４ａ１およびＬ字状部材２４ａ３を示していない。
【００５７】
なお、伸縮機構２１０の状態が、仮に、常に伸縮自在な状態であれば、ディスプレイ１００が、意図せずに、Ｙ軸方向に移動してしまう場合がある。
【００５８】
そこで、伸縮機構２１０は、当該伸縮機構２１０が伸縮できない状態に設定する構成を有する。具体的には、伸縮機構２１０は、当該伸縮機構２１０の状態を、ロック状態およびロック解除状態のいずれかに設定するための構成を有する。ロック状態は、伸縮機構２１０が伸縮できない状態である。すなわち、ロック状態は、ディスプレイ１００の移動ができない状態である。ロック解除状態は、伸縮機構２１０が伸縮可能な状態である。すなわち、ロック解除状態は、ディスプレイ１００の移動ができる状態である。
【００５９】
次に、ロック状態およびロック解除状態について説明する。
【００６０】
図１および図２を参照して、伸縮機構２１０は、さらに、ロックプレート４０を含む。ロックプレート４０は、詳細は後述するが、伸縮機構２１０の状態を、ロック状態およびロック解除状態のいずれかに設定するためのプレートである。
【００６１】
図５（ａ）は、伸縮機構２１０の状態がロック状態である場合におけるディスプレイ用取付装置２００の側面図である。図５（ｂ）は、伸縮機構２１０の状態がロック解除状態である場合におけるディスプレイ用取付装置２００の側面図である。
【００６２】
図６は、ロックプレート４０の周辺部の拡大図である。なお、図６では、構成を分かり易くするために、一部の部材は示していない。例えば、図６では、シャフト２１ｂの構成を分かり易くするためにベースブラケット２０を示していない。図７は、ロックプレート４０の構成を説明するための分解斜視図である。また、図７では、図６の構成を分かり易くするために、ロックプレート４０を、シャフト２１ａ，２１ｂからはずした状態を示す。
【００６３】
図６および図７のように、ロックプレート４０のＸ軸方向の両側面には、貫通穴Ｈ４と、切り欠き４０ｋとが形成される。ロックプレート４０は、図６のシャフト２１ａを回転軸として、回転自在に構成される。具体的には、ロックプレート４０の貫通穴Ｈ４には、当該ロックプレート４０が回転自在なように、シャフト２１ａが挿入される。
【００６４】
切り欠き４０ｋは、図６および図７のように、ロックプレート４０のＸ軸方向の両側面に形成される。切り欠き４０ｋの形状は、円弧状である。切り欠き４０ｋは、図５（ａ）および図６のように、伸縮機構２１０の状態が収縮状態である場合に、シャフト２１ｂと係合する。
【００６５】
ロックプレート４０の切り欠き４０ｋがシャフト２１ｂと係合している状態は、前述のロック状態である。一方、ロックプレート４０の切り欠き４０ｋがシャフト２１ｂと係合していない状態は、前述のロック解除状態である。前述したように、ロック解除状態は、伸縮機構２１０が伸縮可能な状態である。そのため、シャフト２１ｂは、伸縮機構の状態がロック解除状態である場合、Ｙ軸方向に移動自在である。
【００６６】
図１および図５〜図７を参照して、伸縮機構２１０は、さらに、板バネ４１と、板バネホルダー４２と、リンク棒ホルダー３１とを含む。板バネホルダー４２は、フロントブラケット２２の上部に固定される。板バネ４１は、板バネホルダー４２に固定されている。
【００６７】
図６および図７を参照して、板バネ４１は、ロックプレート４０のＸ軸方向の左側を、Ｚ方向へ押圧するように設けられる。また、板バネ４１は、図６のように、ロックプレート４０のうちシャフト２１ａより左側の部分をＺ方向（上方向）へ押圧するように設けられる。
【００６８】
この構成により、ロックプレート４０には、シャフト２１ａを回転軸として、時計回りの方向に回転するように、板バネ４１により押圧されている。当該板バネ４１の弾性力により、ロックプレート４０の切り欠き４０ｋとがシャフト２１ｂとが強固に係合する状態が保たれる。その結果、図６のように、当該ロックプレート４０の上面が、ＸＹ平面と平行になる状態が保たれる。
【００６９】
リンク棒ホルダー３１は、図１および図２のように、フロントブラケット２２の上部のうち、Ｘ軸方向の中央部に固定される。リンク棒ホルダー３１の上部の形状は、図１のように、コの字状である。以下においては、リンク棒ホルダー３１のうち、コの字状の部分を、リンク棒保持部ともいう。リンク棒保持部は、平行な２つの板部材から構成される。リンク棒保持部の２つの板部材の各々には、貫通穴Ｈ３が設けられる。
【００７０】
リンク棒ホルダー３１の貫通穴Ｈ３には、リンク棒３０ａがＺ軸方向に移動自在なように、当該リンク棒３０ａが挿入される。この構成により、ディスプレイ用取付装置２００は、リンク棒３０ａを、長さの異なる別のリンク棒と交換可能に構成される。なお、リンク棒３０ａの上部および下部の形状は、半球状である。
【００７１】
図５（ａ）および図５（ｂ）のように、ロックプレート４０の端部は、当該ロックプレート４０の回転に伴い切り欠き４０ｋの位置が移動するように、リンク棒３０ａと当接している。具体的には、リンク棒３０ａの下端は、図５（ａ）のように、ロックプレート４０のうち、シャフト２１ａより左側の部分の上面に当接している。
【００７２】
また、リンク棒３０ａは、レバー１４の回転に伴い、当該レバー１４と当接する位置に設けられる。すなわち、リンク棒３０ａは、ハンドル１０の回転に伴い回転するレバー１４の動きに伴って動くように構成されている。
【００７３】
なお、図２のように、ロックプレート４０と当接しているリンク棒３０ａの長さは、当該リンク棒３０ａの上端とレバー１４の上面との間隔が距離Ｄ１となるように、設定される。距離Ｄ１は、例えば、５ｍｍである。また、レバー１４のＸ軸方向の幅は、リンク棒３０ａのＸ軸方向の幅より１０ｍｍ程度大きい。また、レバー１４においてリンク棒３０ａが当接する部分は、レバー１４のＸ軸方向の中央部である。
【００７４】
また、図２のように、レバー１４の長さは、リンク棒３０ａのＹ軸方向の位置から、当該レバー１４のＹ方向の端までの距離Ｄ２が約５ｍｍ以上となるように、設定される。
【００７５】
（動作の説明）
次に、ロック状態の伸縮機構２１０を、ロック解除状態にするための動作（以下、ロック解除動作ともいう）について説明する。ロック状態の伸縮機構２１０は、図４および図５（ａ）に示す状態である。
【００７６】
図１および図３を参照して、ロック解除動作では、まず、作業者が、ハンドル１０の爪１０ａを掴んで、ハンドル１０を方向ＤＲ１へ回転させる。方向ＤＲ１は、時計周りの方向である。ハンドル１０の回転に伴い、棒状部材７０（シャフト１３）は、時計周りの方向に回転する。
【００７７】
棒状部材７０（シャフト１３）の回転に伴い、レバー１４は、シャフト１３を回転軸として、時計周りの方向に回転する。レバー１４の回転に伴い、レバー１４の端部は、図５（ｂ）のように、リンク棒３０ａの上端に当接した状態で、リンク棒３０ａを−Ｚ方向（鉛直方向）へ押圧する。すなわち、レバー１４は、当該レバー１４の回転に伴い、リンク棒３０ａの端部を押圧する。
【００７８】
これにより、リンク棒３０ａの下端は、ロックプレート４０の端部に当接した状態で、ロックプレート４０の端部を−Ｚ方向（鉛直方向）へ押圧する。その結果、ロックプレート４０は、シャフト２１ａを回転軸として、反時計周りの方向に回転する。
【００７９】
ロックプレート４０の回転に伴い、シャフト２１ｂに係合していた、ロックプレート４０の切り欠き４０ｋが、シャフト２１ｂから外れる。すなわち、伸縮機構２１０の状態がロック状態である場合、リンク棒３０ａは、レバー１４からリンク棒３０ａに伝わる動きに基づいて、伸縮機構２１０の状態をロック解除状態にする。具体的には、ロックプレート４０は、伸縮機構２１０の状態がロック状態である場合、レバー１４からリンク棒３０ａに伝わる動きに基づいて、回転することにより、切り欠き４０ｋとシャフト２１ｂとの係合を解除する。
【００８０】
以上の動作により、ロック状態の伸縮機構２１０は、ロック解除状態になる。ロック解除状態の伸縮機構２１０は、Ｙ軸方向に伸縮自在となる。
【００８１】
そして、作業者は、ハンドル１１の爪を掴んで、ハンドル１１の先端が画面１１０より前になるように、ハンドル１１を回転させる。次に、作業者は、ハンドル１０，１１を掴んで、ディスプレイ１００を、−Ｙ方向へ移動させる。これにより、伸縮機構２１０の状態は、図１および図２のように、伸張状態となる。
【００８２】
なお、前述したように、ディスプレイ１００は、ブラケット２４ａ，２４ｂを介して、フロントバー２３ａ，２３ｂの各々のＸ軸方向の左側端部および右側端部に引っ掛けられている。すなわち、ディスプレイ１００は、伸縮機構２１０に対し、着脱自在に構成されている。そのため、伸縮機構２１０の状態が伸張状態である場合、作業者は、ディスプレイ１００を持ち上げることにより、当該ディスプレイ１００を、伸縮機構２１０（ディスプレイ用取付装置２００）が固定された壁面９０から取り外すことができる。
【００８３】
（ディスプレイの位置の調整）
次に、ディスプレイ１００の位置を調整する方法について説明する。まず、Ｙ軸方向（前後方向）においてディスプレイ１００の位置を調整する方法について説明する。Ｙ軸方向におけるディスプレイ１００の位置は、ボルト５１ａ，５１ｂ，５１ｃ，５１ｄにより調整される。
【００８４】
図２および図４を参照して、ボルト５１ａは、Ｌ字状部材２４ａ１に設けられたねじ穴（図示せず）に螺合している。前述したように、ボルト５１ａの先端は、フロントバー２３ａのうちＸＺ面と平行な面に当接している。ボルト５１ｂは、Ｌ字状部材２４ｂ１に設けられたねじ穴（図示せず）に螺合している。前述したように、ボルト５１ｂの先端は、フロントバー２３ａのうちＸＺ面と平行な面に当接している。
【００８５】
ボルト５１ｃは、フロントバー２３ｂのうちブラケット２４ａ側の端部に設けられたねじ穴（図示せず）に螺合している。前述したように、ボルト５１ｃの先端は、長尺部材２４ａ２の下部に当接している。
【００８６】
ボルト５１ｄは、フロントバー２３ｂのうちブラケット２４ｂ側の端部に設けられたねじ穴（図示せず）に螺合している。前述したように、ボルト５１ｄの先端は、長尺部材２４ｂ２の下部に当接している。
【００８７】
以上の構成のボルト５１ａ〜５１ｄを回転させることにより、ディスプレイ１００の４隅のＹ軸方向の位置を調整することが可能である。
【００８８】
次に、Ｚ軸方向（上下方向）においてディスプレイ１００の位置を調整する方法について説明する。Ｚ軸方向におけるディスプレイ１００の位置は、ボルト５０ａ，５０ｂにより調整される。
【００８９】
図２および図４を参照して、ボルト５０ａは、Ｌ字状部材２４ａ３に設けられたねじ穴（図示せず）に螺合している。前述したように、ボルト５０ａの先端は、伸縮機構２１０（フロントブラケット２２）に固定されるフロントバー２３ｂの上面に当接している。
【００９０】
図４を参照して、ボルト５０ｂは、Ｌ字状部材２４ｂ３に設けられたねじ穴（図示せず）に螺合している。前述したように、ボルト５０ｂの先端は、伸縮機構２１０（フロントブラケット２２）に固定されるフロントバー２３ｂの上面に当接している。
【００９１】
ボルト５１ａ、５１ｂを同じ方向に回転させることにより、ディスプレイ１００のＺ軸方向（上下方向）の位置を調整することが可能である。なお、ボルト５１ａとボルト５１ｂとを、互いに逆方向に回転させることにより、Ｘ軸に対するディスプレイ１００の傾斜角度（傾斜の度合い）を調整することができる。
【００９２】
次に、Ｘ軸方向（左右方向）においてディスプレイ１００の位置を調整する方法について説明する。前述したように、ディスプレイ１００は、ブラケット２４ａ，２４ｂを介して、フロントバー２３ａ，２３ｂの各々のＸ軸方向の左側端部および右側端部に引っ掛けられている。そのため、作業者が、ディスプレイ１００をＸ軸方向に押すことにより、ディスプレイ１００のＸ軸方向の位置を調整することができる。
【００９３】
以上のように、ディスプレイ１００の位置調整がおこなわれた場合、ディスプレイ１００側に取り付けられているレバー１４と、フロントブラケット２２側に取り付けられているリンク棒３０ａの相対位置が変化する。Ｚ軸方向、Ｘ軸方向およびＹ軸方向の調整マージンは、通常５ｍｍ程度である。
【００９４】
前述したように、リンク棒３０ａおよびレバー１４は、リンク棒３０ａの上端とレバー１４の上面との間隔が距離Ｄ１（５ｍｍ）となるように、設けられる。この構成により、Ｚ軸方向の調整マージンに適応可能である。
【００９５】
また、前述したように、レバー１４のＸ軸方向の幅は、リンク棒３０ａのＸ軸方向の幅より１０ｍｍ程度大きい。この構成により、Ｘ軸方向の調整マージンに適応可能である。
【００９６】
また、前述したように、レバー１４の長さは、リンク棒３０ａのＹ軸方向の位置から、当該レバー１４のＹ方向の端までの距離Ｄ２が約５ｍｍ以上となるように、設定される。この構成により、Ｙ軸方向の調整マージンに適応可能である。
【００９７】
（マルチディスプレイシステムへの適用）
次に、複数のディスプレイ１００が行列状に配置されたマルチディスプレイシステム１０００に対し、ディスプレイ用取付装置２００を適用した場合について説明する。
【００９８】
マルチディスプレイシステム１０００は、一例として、９台のディスプレイ１００が、図８のように、３行３列に配置されて構成されるとする。以下においては、９台のディスプレイ１００を、それぞれ、ディスプレイ１００ａ，１００ｂ，１００ｃ，１００ｄ，１００ｅ，１００ｆ，１００ｇ，１００ｈ，１００ｉとも表記する。
【００９９】
ここで、以下の構成Ａを想定する。構成Ａでは、ディスプレイ１００ａ，１００ｂ，１００ｃ，１００ｄ，１００ｅ，１００ｆ，１００ｇ，１００ｈ，１００ｉの各々に対し、前述と同様に、ディスプレイ用取付装置２００が取り付けられている。すなわち、構成Ａでは、ディスプレイ１００ａ，１００ｂ，１００ｃ，１００ｄ，１００ｅ，１００ｆ，１００ｇ，１００ｈ，１００ｉの各々が、ディスプレイ用取付装置２００を介して、壁面９０に取り付けられている。
【０１００】
また、以下の構成Ｎ１を想定する。構成Ｎ１では、ディスプレイ１００ａ，１００ｂ，１００ｃ，１００ｄ，１００ｅ，１００ｆ，１００ｇ，１００ｈ，１００ｉの各々が、前述の関連技術Ｂの壁掛け装置を介して、壁面９０に取り付けられている。
【０１０１】
ここで、状況Ａが発生したとする。状況Ａは、ディスプレイ１００ｅのみがメンテナンスが必要になったという状況である。この場合、関連技術Ｂを適用した構成Ｎ１では、最上段のディスプレイ１００から順番に取り外す必要があった。以下においては、メンテナンス対象のディスプレイ１００を、対象ディスプレイともいう。対象ディスプレイは、例えば、ディスプレイ１００ｅである。
【０１０２】
また、構成Ｎ１では、対象ディスプレイ（ディスプレイ１００ｅ）のみを、手前方向（−Ｙ方向）へ引き出す構造がない。そのため、対象ディスプレイの両端を作業者が持つことができない。そのため、構成Ｎ１では、対象ディスプレイのみを、手前方向（−Ｙ方向）へ引き出し、壁９０から取り外すことができないという問題がある。
【０１０３】
一方、本実施の形態のディスプレイ用取付装置２００を適用した構成Ａでは、対象ディスプレイに取り付けられているハンドル１０を、作業者が、前述のロック解除動作と同様に、回転させる。これにより、対象ディスプレイに取り付けられているディスプレイ用取付装置２００における、ロック状態の伸縮機構２１０は、ロック解除状態になる。
【０１０４】
次に、作業者は、前述と同様に、ハンドル１０，１１を掴んで、対象ディスプレイを、−Ｙ方向へ移動させる。これにより、対象ディスプレイに対応する伸縮機構２１０の状態は、図１および図２のように、伸張状態となる。
【０１０５】
これにより、構成Ｎ１のように、対象ディスプレイの周囲のディスプレイ１００を取り外すことなく、対象ディスプレイのみを、容易に、壁９０から取り外すことができる。したがって、複数のディスプレイ１００から構成されるマルチディスプレイシステム１０００にディスプレイ用取付装置２００を適用することにより、ディスプレイ１００のメンテナンス性を向上させることができる。
【０１０６】
なお、マルチディスプレイシステム１０００を構成する各ディスプレイ１００に対しディスプレイ用取付装置２００を適用した構成Ａにおいても、Ｚ，Ｘ，Ｙ軸方向の各々において、必要に応じて、前述のように、各ディスプレイ１００の位置が調整される。
【０１０７】
この場合、Ｚ軸方向、Ｘ軸方向およびＹ軸方向の位置の調整、傾斜の度合いの調整等を行った後、ディスプレイ１００とディスプレイ用取付装置２００の相対位置は変化する。しかしながら、前述したように、リンク棒３０ａおよびレバー１４は、調整マージンに適応可能なように構成される。そのため、ディスプレイ用取付装置２００は、ディスプレイ１００とディスプレイ用取付装置２００との相対位置の変化に適応可能である。
【０１０８】
以上説明したように、本実施の形態によれば、ディスプレイ用取付装置２００は、ディスプレイ１００の画面１１０に対して垂直な方向であるＹ軸方向に、ディスプレイ１００を移動自在とする伸縮機構２１０と、ハンドル１０の回転をレバー１４に伝える棒状部材７０と、を備える。
【０１０９】
伸縮機構２１０は、伸縮機構２１０の状態を、ディスプレイ１００の移動ができないロック状態、および、ディスプレイ１００の移動ができるロック解除状態のいずれかに設定するための構成を有する。伸縮機構２１０の状態がロック状態である場合、リンク棒３０ａは、レバー１４からリンク棒３０ａに伝わる動きに基づいて、伸縮機構２１０の状態をロック解除状態にする。
【０１１０】
これにより、ハンドル１０を回転させるという簡単な操作だけで、伸縮機構２１０の状態を、ロック状態からロック解除状態に遷移させることができる。したがって、ディスプレイを画面に対して垂直な方向に移動自在とする構成において、ディスプレイの移動ができないロック状態を、容易に解除することができる。
【０１１１】
また、本実施の形態によれば、複数のディスプレイ１００が行列状に配置されたマルチディスプレイシステム１０００に対しディスプレイ用取付装置２００を適用した場合、前述した効果が得られる。すなわち、複数のディスプレイ１００から構成されるマルチディスプレイシステム１０００にディスプレイ用取付装置２００を適用することにより、対象ディスプレイのみを、容易に、壁９０から取り外すことができる。
【０１１２】
つまり、対象ディスプレイの周囲のディスプレイ１００を取り外すことなく、対象ディスプレイのみを、容易に、壁９０から取り外すことができる。そのため、マルチディスプレイシステム１０００におけるディスプレイ１００のメンテナンス性を向上させることができる。
【０１１３】
＜実施の形態２＞
本実施の形態では、縦向きに設置されたディスプレイ１００に適用可能なディスプレイ用取付装置２００Ａについて説明する。
【０１１４】
図９は、縦向きに設置されたディスプレイ１００にディスプレイ用取付装置２００Ａを取り付けた状態を示す斜視図である。
【０１１５】
縦向きに設置されたディスプレイ１００とは、画面１１０の長辺がＺ軸方向と平行になるように設置されたディスプレイ１００である。以下においては、縦向きに設置されたディスプレイ１００を、縦向きディスプレイともいう。
【０１１６】
ディスプレイ用取付装置２００Ａは、実施の形態１のディスプレイ用取付装置２００と比較して、リンク棒３０ａの代わりにリンク棒３０ｂを備える点のみが異なる。すなわち、ディスプレイ用取付装置２００Ａは、ディスプレイ用取付装置２００のリンク棒３０ａがリンク棒３０ｂに交換された装置である。ディスプレイ用取付装置２００Ａのそれ以外の構成は、ディスプレイ用取付装置２００と同様なので詳細な説明は繰り返さない。
【０１１７】
リンク棒３０ｂは、リンク棒３０ａと比較して、長さが異なる。リンク棒３０ｂのそれ以外の構成は、リンク棒３０ａと同様なので詳細な説明は繰り返さない。リンク棒３０ｂの長さは、縦向きディスプレイの上部にハンドルユニット２２０が取り付けられた状態において、当該リンク棒３０ｂの上端とレバー１４の上面との間隔が前述の距離Ｄ１となるように、設定される。すなわち、リンク棒３０ｂは、リンク棒３０ａよりも長い。
【０１１８】
次に、縦向きディスプレイに、ディスプレイ用取付装置２００Ａを取り付ける作業について説明する。
【０１１９】
まず、縦向きディスプレイ（ディスプレイ１００）の背面の上部に、図１と同様に、ハンドルユニット２２０を取り付ける。なお、ハンドルユニット２２０の取り付けの際には、レバー１４がリンク棒３０ｂの真上にくるように、棒状部材７０の長さが調整される。棒状部材７０の長さの調整は、シャフト１３をパイプ１２の穴（図示せず）において移動させることにより行われる。棒状部材７０の長さが調整された後、ねじ５２により、棒状部材７０の長さが固定される。
【０１２０】
ハンドル１１は、図１と同様に、縦向きディスプレイの背面の左下部に、ホルダー１７を介して固定される。また、ブラケット２４ａ，２４ｂは、実施の形態１と同様に、縦向きディスプレイの背面に固定される。縦向きディスプレイに固定されたブラケット２４ａ，２４ｂは、実施の形態１と同様に、伸縮機構２１０に固定されたフロントバー２３ａ，２３ｂに取り付けられる。
【０１２１】
以上説明したように、本実施の形態では、実施の形態１と同様な構成により、縦向きディスプレイに対して、ディスプレイ用取付装置２００Ａを取り付けることができる。なお、ディスプレイ用取付装置２００Ａは、実施の形態１のディスプレイ用取付装置２００と比較して、リンク棒３０ａの代わりにリンク棒３０ｂを備える点のみが異なる。すなわち、本実施の形態によれば、縦向きディスプレイを、壁９０に取り付ける場合、リンク棒以外の構成部材を共用することができる。
【０１２２】
＜実施の形態３＞
実施の形態１のディスプレイ１００と、画面１１０のサイズの異なるディスプレイ１００に適用可能なディスプレイ用取付装置２００Ｂについて説明する。本実施の形態に適用されるディスプレイ１００（画面１１０）のサイズは、実施の形態１のディスプレイ１００のサイズより小さいとする。
【０１２３】
図１０は、小さいサイズのディスプレイ１００にディスプレイ用取付装置２００Ｂを取り付けた状態を示す斜視図である。以下においては、小さいサイズのディスプレイ１００を、小サイズディスプレイともいう。小サイズディスプレイのサイズは、実施の形態１のディスプレイ１００のサイズより小さい。すなわち、小サイズディスプレイの画面１１０のサイズは、実施の形態１のディスプレイ１００の画面１１０のサイズより小さい。
【０１２４】
ディスプレイ用取付装置２００Ｂは、実施の形態１のディスプレイ用取付装置２００と比較して、リンク棒３０ａの代わりにリンク棒３０ｃを備える点のみが異なる。すなわち、ディスプレイ用取付装置２００Ｂは、ディスプレイ用取付装置２００のリンク棒３０ａがリンク棒３０ｃに交換された装置である。ディスプレイ用取付装置２００Ｂのそれ以外の構成は、ディスプレイ用取付装置２００と同様なので詳細な説明は繰り返さない。
【０１２５】
リンク棒３０ｃは、リンク棒３０ａと比較して、長さが異なる。リンク棒３０ｃのそれ以外の構成は、リンク棒３０ａと同様なので詳細な説明は繰り返さない。リンク棒３０ｃの長さは、小サイズディスプレイの上部にハンドルユニット２２０が取り付けられた状態において、当該リンク棒３０ｃの上端とレバー１４の上面との間隔が前述の距離Ｄ１となるように、設定される。すなわち、リンク棒３０ｃは、リンク棒３０ａよりも短い。
【０１２６】
次に、小サイズディスプレイに、ディスプレイ用取付装置２００Ａを取り付ける作業について説明する。
【０１２７】
まず、小サイズディスプレイ（ディスプレイ１００）の背面の上部に、図１と同様に、ハンドルユニット２２０を取り付ける。なお、実施の形態２と同様、ハンドルユニット２２０の取り付けの際には、レバー１４がリンク棒３０ｂの真上にくるように、棒状部材７０の長さが調整される。
【０１２８】
ハンドル１１は、実施の形態２と同様に、小サイズディスプレイの背面の左下部に、ホルダー１７を介して固定される。また、ブラケット２４ａ，２４ｂは、実施の形態１と同様に、小サイズディスプレイの背面に固定される。小サイズディスプレイに固定されたブラケット２４ａ，２４ｂは、実施の形態１と同様に、伸縮機構２１０に固定されたフロントバー２３ａ，２３ｂに取り付けられる。
【０１２９】
以上説明したように、本実施の形態では、実施の形態１と同様な構成により、小サイズディスプレイに対して、ディスプレイ用取付装置２００Ｂを取り付けることができる。なお、ディスプレイ用取付装置２００Ｂは、実施の形態１のディスプレイ用取付装置２００と比較して、リンク棒３０ａの代わりにリンク棒３０ｃを備える点のみが異なる。すなわち、本実施の形態によれば、小サイズディスプレイを壁９０に取り付ける場合、リンク棒３０ａの交換のみで、小サイズディスプレイの設置方向、サイズに関わらず、リンク棒以外の構成部材を共用することができる。
【０１３０】
以上により、実施の形態１〜３の構成によれば、棒状部材７０の長さの調整、リンク棒の交換のみで、ディスプレイの画面サイズ、ディスプレイの設置方向に関わらず、ディスプレイを壁に取り付け可能なディスプレイ用取付装置を提供することができる。
【０１３１】
なお、本発明は、その発明の範囲内において、各実施の形態を自由に組み合わせたり、各実施の形態を適宜、変形、省略することが可能である。
【０１３２】
例えば、実施の形態１〜３では、異なる長さのリンク棒を使用する構成としたがこれに限定されない。実施の形態１〜３では、リンク棒３０ａ，３０ｂ，３０ｃのいずれかの代わりに、伸縮自在に構成されたリンク棒を共通して使用する構成（以下、変形構成Ａともいう）としてもよい。以下においては、伸縮自在に構成されたリンク棒を、伸縮自在棒ともいう。
【０１３３】
変形構成Ａでは、例えば、実施の形態１のディスプレイ用取付装置２００におけるリンク棒３０ａを、伸縮自在棒とする。変形構成Ａにより、実施の形態２，３におけるディスプレイ１００にも、変形構成Ａのディスプレイ用取付装置２００を適用可能となる。すなわち、変形構成Ａにより、実施の形態１〜３に示すディスプレイ１００に対し、リンク棒も共用することができる。すなわち、変形構成Ａによれば、実施の形態２，３のように、リンク棒を交換する必要がなくなる。
【符号の説明】
【０１３４】
１０，１１  ハンドル、１３，２１ａ，２１ｂ，２１ｃ，２１ｄ，２１ｅ  シャフト、１４  レバー、３０ａ，３０ｂ，３０ｃ  リンク棒、４０  ロックプレート、４０ｋ  切り欠き、７０  棒状部材、１００  ディスプレイ、２００，２００Ａ，２００Ｂ  ディスプレイ用取付装置、２１０  伸縮機構、２２０  ハンドルユニット、１０００  マルチディスプレイシステム。
【図１】
2015121636.tif 000003
【図２】
2015121636.tif 000004
【図３】
2015121636.tif 000005
【図４】
2015121636.tif 000006
【図５】
2015121636.tif 000007
【図６】
2015121636.tif 000008
【図７】
2015121636.tif 000009
【図８】
2015121636.tif 000010
【図９】
2015121636.tif 000011
【図１０】
2015121636.tif 000012